【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
軸筒内に複数の筆記軸がその軸方向に移動可能に収容され、筆記軸の後端に操作体が連結され、各操作体が軸筒の後部側壁に形成された縦孔に軸方向に摺動可能に挿入されており、１つの操作体を前進させて前記縦孔の前端側の位置に保持させることにより、この操作体に連結された筆記軸の先端を軸筒の先端から突出した状態とする多芯筆記具において、
前記縦孔の後端は塞がれており、前記縦孔の後端に前記操作体の後端を係止させることにより、この操作体に連結された筆記軸を軸筒の内部に収容した状態に保持することが可能であり、
操作体は、縦孔に対してその径方向に出し入れ自在に構成されており、
筆記軸は、操作体に連結された状態で、後端が塞がれた縦孔を径方向に通過して軸筒に対して出し入れ自在であることを特徴とする多芯筆記具。
【請求項２】
前記筆記軸は、縦孔に対して径方向に出し入れ自在となるような可撓性を有することで、縦孔から取り出すことが可能であることを特徴とする請求項１記載の多芯筆記具。
【請求項３】
前記操作体の後端には、前記縦孔の後端に係止可能な係止凹部が形成されることを特徴とする請求項１または２記載の多芯筆記具。
【請求項４】
前記操作体は、前記縦孔に対して前方へ一旦摺動させて前記係止凹部から係止解除させることを特徴とする請求項１ないし３のいずれか１項に記載の多芯筆記具。
【請求項５】
前記軸筒の外周における前記縦孔の後端側の位置には溝が形成されており、
前記操作体を縦孔に対して径方向に出し入れする際に、操作体の内周側の端部が前記溝に沿って移動することを特徴とする請求項１ないし４のいずれか１項記載の多芯筆記具。
【請求項６】
前記軸筒内には、前記筆記軸を後方に付勢するコイルバネが収容されており、
軸筒内に縦孔を介して筆記軸を挿入させた際に、筆記軸の先端がコイルバネの後端から内側に挿入されて筆記軸の外周にコイルバネが巻回されるように形成され、
前記コイルバネの後部は、密着巻き部分または少なくとも中央よりもピッチの小さくなった部分を有することを特徴とする請求項１ないし５のいずれか１項に記載の多芯筆記具。
【請求項７】
前記筆記軸が縦孔を介して軸筒外方へと取り出されたときに、前記筆記軸の外周囲に巻回されていたコイルバネの後端は軸筒内における縦孔の前端付近に配置されることを特徴とする請求項１ないし６のいずれか１項に記載の多芯筆記具。
【請求項８】
前記縦孔は、前部の幅広孔と後部の幅狭孔と、からなり、幅狭孔の周囲は、幅狭孔よりも幅広の幅広溝となっており、前記操作体は、幅広孔及び幅広溝を摺動可能となった本体と、幅狭孔を摺動可能となった突設部とを有することを特徴とする請求項１ないし７のいずれか１項に記載の多芯筆記具。
【請求項９】
前記幅広溝には、操作体の本体が係止可能な係止段部が形成されており、
操作体を縦孔の前端側まで前進させて操作体の本体を係止段部に係止させることにより、この操作体に連結された筆記軸の先端が軸筒の先端から突出した状態に保持されることを特徴とする請求項８記載の多芯筆記具。
【請求項１０】
前記軸筒の後端には消しゴム受台が設けられて、該消しゴム受台により前記軸筒の後端が塞がれており、前記筆記軸は、前記操作体に連結された状態で前記消しゴム受台により後端の塞がれた縦孔を径方向に通過して軸筒に対して出し入れ自在であることを特徴とする請求項１ないし９のいずれか１項に記載の多芯筆記具。
【手続補正２】
【補正対象書類名】明細書
【補正対象項目名】００１１
【補正方法】変更
【補正の内容】
【００１１】
上記目的を達成するために、本発明のうち第１の発明は、軸筒内に複数の筆記軸がその軸方向に移動可能に収容され、筆記軸の後端に操作体が連結され、各操作体が軸筒の後部外周面に形成された縦孔に軸方向に摺動可能に挿入されており、１つの操作体を前進させて前記縦孔の前端側に保持させることにより、この操作体に連結された筆記軸の先端を軸筒の先端から突出した状態とする多芯筆記具において、
前記縦孔の後端は塞がれており、操作体は、縦孔に対してその径方向に出し入れ自在に構成されており、筆記軸は操作体に連結された状態で縦孔を径方向に通過して軸筒に対して出し入れ自在であることを特徴とする。
【手続補正３】
【補正対象書類名】明細書
【補正対象項目名】００１２
【補正方法】変更
【補正の内容】
【００１２】
第２の発明は、第１の発明の多芯筆記具において、前記筆記軸が、縦孔に対して径方向に出し入れ自在となるような可撓性を有することを特徴とする。
【手続補正４】
【補正対象書類名】明細書
【補正対象項目名】００１３
【補正方法】変更
【補正の内容】
【００１３】
第３の発明は、第１または第２の発明の多芯筆記具において、前記操作体の後端には、前記縦孔の後端に係止可能な係止凹部が形成されることを特徴とする。
【手続補正５】
【補正対象書類名】明細書
【補正対象項目名】００１４
【補正方法】変更
【補正の内容】
【００１４】
第４の発明は、第３の発明の多芯筆記具において、前記操作体は、縦孔に対して前方へ一旦摺動させて前記係止凹部から係止解除させることで、縦孔から取り出すことが可能であることを特徴とする。
【手続補正６】
【補正対象書類名】明細書
【補正対象項目名】００１５
【補正方法】変更
【補正の内容】
【００１５】
第５の発明は、第１ないし第４の発明のいずれかの多芯筆記具において、前記操作体には、径方向への出し入れの際に手掛かりとなり得る溝が形成されることを特徴とする。
【手続補正７】
【補正対象書類名】明細書
【補正対象項目名】００１６
【補正方法】変更
【補正の内容】
【００１６】
第６の発明は、第１ないし第５の発明のいずれかの多芯筆記具において、前記筆記軸の外周囲には、筆記軸を後方に付勢するコイルバネが巻回されており、前記コイルバネの後部は、密着巻き部分または少なくとも中央よりもピッチの小さくなった部分を有することを特徴とする。
【手続補正８】
【補正対象書類名】明細書
【補正対象項目名】００１７
【補正方法】変更
【補正の内容】
【００１７】
第７の発明は、第１ないし第６の発明のいずれかの多芯筆記具において、筆記軸及び操作体が軸筒外方へと取り出されたときに、前記筆記軸の外周囲に巻回されたコイルバネの後端は縦孔の前端付近に配置されることを特徴とする。
【手続補正９】
【補正対象書類名】明細書
【補正対象項目名】００１８
【補正方法】変更
【補正の内容】
【００１８】
第８の発明は、第１ないし第７の発明のいずれかの多芯筆記具において、縦孔は、前部の幅広孔と後部の幅狭孔と、からなり、幅狭孔の周囲は、幅狭孔よりも幅広の幅広溝となっており、 前記操作体は、幅広孔及び幅広溝を摺動可能となった本体と、幅狭孔を摺動可能となった突設部とを有することを特徴とする。
【手続補正１０】
【補正対象書類名】明細書
【補正対象項目名】００１９
【補正方法】変更
【補正の内容】
【００１９】
第９の発明は、第８の発明の多芯筆記具において、前記操作体の本体が、幅広溝に形成された係止段部に係止可能であることを特徴とする。
【手続補正１１】
【補正対象書類名】明細書
【補正対象項目名】００２０
【補正方法】変更
【補正の内容】
【００２０】
また、第１０の発明は、第１ないし第９の発明のいずれかの多芯筆記具において、前記軸筒の後端には消しゴム受台が設けられていることを特徴とする。
【手続補正１２】
【補正対象書類名】明細書
【補正対象項目名】００２３
【補正方法】変更
【補正の内容】
【００２３】
第２の発明によれば、筆記軸に充分な可撓性を持たせることにより、縦孔の軸方向長さが短くても筆記軸の交換時の縦孔の径方向の筆記軸の出し入れを円滑に行うことができる。
【手続補正１３】
【補正対象書類名】明細書
【補正対象項目名】００２４
【補正方法】変更
【補正の内容】
【００２４】
第３の発明によれば、操作体の後端に形成された係止凹部が、縦孔の後端に係止することで、筆記軸を軸筒内に収容した状態にすることができて、筆記軸が縦孔から不用意に脱出しないようにすることができる。
【手続補正１４】
【補正対象書類名】明細書
【補正対象項目名】００２５
【補正方法】変更
【補正の内容】
【００２５】
第４の発明によれば、筆記軸の交換時には、操作体を前方へ一旦摺動させることで、係止凹部と縦孔との係止を解除することができるので、操作体及び筆記軸を軸筒内から取り出すことができるようになる。
【手続補正１５】
【補正対象書類名】明細書
【補正対象項目名】００２６
【補正方法】変更
【補正の内容】
【００２６】
第５の発明によれば、操作体に溝が形成されているので、この溝を手掛かりとして、出し入れの作業を行うことができるようになる。
【手続補正１６】
【補正対象書類名】明細書
【補正対象項目名】００２７
【補正方法】変更
【補正の内容】
【００２７】
第６の発明によれば、筆記軸を軸筒内に挿入する際に、軸筒内にあるコイルバネの後部に引っ掛かりにくい構成とすることができて、筆記軸の先端をコイルバネの内部に挿通させやすくなる。
【手続補正１７】
【補正対象書類名】明細書
【補正対象項目名】００２８
【補正方法】変更
【補正の内容】
【００２８】
第７の発明によれば、筆記軸及び操作体が外方へと取り出されたときに、コイルバネの後端は縦孔の前端付近に配置されることで、次に、筆記軸及び操作体を挿入する際に、筆記軸の先端をコイルバネの内部に挿通させやすくなる。
【手続補正１８】
【補正対象書類名】明細書
【補正対象項目名】００２９
【補正方法】変更
【補正の内容】
【００２９】
第８の発明によれば、筆記軸の交換時に、操作体の本体は、幅広孔または幅広溝に、及び操作体の突設部は幅狭孔に、同時に出し入れすることができる。また、筆記軸は幅広孔から軸筒に、出し入れすることができる。
【手続補正１９】
【補正対象書類名】明細書
【補正対象項目名】００３０
【補正方法】変更
【補正の内容】
【００３０】
第９の発明によれば、操作体の本体が幅広溝に形成された係止段部に係止することで、筆記軸の先端を軸筒の先端から突出した状態に維持することができる。
【手続補正２０】
【補正対象書類名】明細書
【補正対象項目名】００３１
【補正方法】変更
【補正の内容】
【００３１】
第１０の発明によれば、軸筒の後端部の設計自由度が増加するために、軸筒の後端部に消しゴム受台を設けることができる。
【手続補正２１】
【補正対象書類名】明細書
【補正対象項目名】００４７
【補正方法】変更
【補正の内容】
【００４７】
各操作体２４、２６は、後軸１６の後部側壁に形成された縦孔１６ａにそれぞれ軸方向に摺動可能に挿入される。各縦孔１６ａは、図５に示すように、前部が孔幅の広い幅広孔１６ａ１となり、後部が孔幅の狭い幅狭孔１６ａ２となっており、幅狭孔１６ａ２の後端は開口しておらず、縦孔１６ａの後端は塞がれた状態となる。また、幅狭孔１６ａ２の周囲は、幅広孔１６ａ１と同じ幅の幅広溝１６ｂとなっている。幅広孔１６ａ１及び幅広溝１６ｂには、操作体２４、２６の本体２４ａ、２６ａが挿入可能となっているのに対して、幅狭孔１６ａ２には、操作体２４、２６の突設部２４ｃ、２６ｃのみが挿入可能となっている。また、幅広溝１６ｂの前後方向途中には、係止段部１６ｃが形成され、また、幅広溝１６ｂの幅狭孔１６ａ２よりも後方の部分には、浅溝１６ｂ１が形成される。
【手続補正２２】
【補正対象書類名】明細書
【補正対象項目名】００５２
【補正方法】変更
【補正の内容】
【００５２】
筆記軸２０、２２を使用する際には、筆記軸２０、２２のいずれか１つを突出させる。そのため、所望の筆記軸２０、２２に連結されるいずれか１つの操作体２４の操作突部２４ｂ、または操作体２６の操作突部２６ｂ若しくはクリップ３０を縦孔１６ａに沿って前方に摺動させると、対応する操作体２４、２６の本体２４ａ、２６ａが幅広孔１６ａ１及び幅広溝１６ｂに沿って移動し、操作体２４、２６の突設部２４ｃ、２６ｃが幅狭孔１６ａ２に沿って移動する。対応する本体２４ａ、２６ａが係止段部１６ｃを通過すると、縦孔１６ａの内径方向に没入することができる。そこで操作を停止すると、係止爪２４ｄ、２６ｄが係止段部１６ｃに係止されるために、前進した状態を維持し、よって、対応する筆記軸２０、２２の先端が、先具１３の先端から突出して使用可能な状態となる（図１の筆記軸２０参照）。
【手続補正２３】
【補正対象書類名】明細書
【補正対象項目名】００５３
【補正方法】変更
【補正の内容】
【００５３】
この状態から、使用する筆記軸２０、２２を切り替えるには、別の所望の筆記軸２０、２２に連結されるいずれか１つの操作体２４の操作突部２４ｂ、または操作体２６の操作突部２６ｂ若しくはクリップ３０を縦孔１６ａに沿って前方に摺動させる。すると、別の操作体２４、２６の突設部２４ｃ、２６ｃの係合片２４ｅ、２６ｅが、突出している筆記軸２０、２２の操作体２４、２６の突設部２４ｃ、２６ｃの係合片２４ｅ、２６ｅと干渉して、今まで突出していた操作体２４、２６を外方に押し出すために、その操作体２４、２６はその係止を解除して、バネ３３の付勢力によって後方に戻る。代わりに、別の所望の筆記軸２０、２２に連結される操作体２４、２６の係止爪２４ｄ、２６ｄが係止段部１６ｃに係止されるために、その所望の筆記軸２０、２２が前進した状態を維持し、使用可能な状態となる。
【手続補正２４】
【補正対象書類名】明細書
【補正対象項目名】００５４
【補正方法】変更
【補正の内容】
【００５４】
次に、筆記軸２０、２２が消耗した場合、または他の種類の筆記軸２０、２２に変更したい場合について図６及び図７を参照して説明する。取り替えるべき筆記軸２０、２２に連結された操作体２４、２６の操作突部２４ｂ、２６ｂを掴み、縦孔１６ａから径方向外方へと引っ張り出す。このとき、やや筆記軸２０をバネ３３のバネ力に抗して、一旦前方に摺動させた後、径方向外方へと引っ張ると、係止凹部２４ｆ、２６ｆの幅狭孔１６ａ２との係止が解除されるので、外方へと取り出し可能となる。このとき、傾斜面２４ｇ、２６ｇが係止の解除を援助する。